(57)【特許請求の範囲】
【請求項１】
内容物の充填空間を形作る胴部内面を一部縮小してその内側に小口を形成し、この小口周りの胴部内面によって当該胴部と別体の球体を落下不能に載置可能な合成樹脂製容器において、
前記小口の断面形状を多角形状としたことを特徴とする球体を備える合成樹脂製容器。
【請求項２】
請求項１において、前記多角形状は、三角形状であることを特徴とする球体を備える合成樹脂製容器。
【請求項３】
請求項１または２において、前記多角形状は、正多角形状であることを特徴とする球体を備える合成樹脂製容器。
【発明の詳細な説明】
【技術分野】
【０００１】
本発明は、ラムネ瓶に代表される球体を備える合成樹脂製容器に関するものである。
【背景技術】
【０００２】
容器口部の封止機能を果たし、開封後には容器内で自由に移動することで使用者の関心を惹きつける球体を備える合成樹脂製容器は既知である（例えば、特許文献１参照。）。
【特許文献１】特許第３６９７６３５号公報
【発明の開示】
【発明が解決しようとする課題】
【０００３】
しかしながら、こうした容器は、ポリエチレンテレフタレート（ＰＥＴ）に代表される合成樹脂で構成されているため、例えば、内容物が炭酸ガスを含んでいると、容器の内圧変化に伴って球体の落下を阻止する小口が変形することがある。このため、小口が変形して広がって、小口の断面形状が真円形状に近づくと、球体が小口に合さって流路を塞いだり、球体が落下してしまうことが懸念される。
【０００４】
本発明の解決すべき課題は、小口の断面形状が真円形状に変形することにあり、
本発明の目的は、小口の断面形状が変形し難い、球体を備えた新規な合成樹脂製容器を提供することにある。
【課題を解決するための手段】
【０００５】
本発明である、球体を備える合成樹脂製容器は、内容物の充填空間を形作る胴部内面を一部縮小してその内側に小口を形成し、この小口周りの胴部内面によって当該胴部と別体の球体を落下不能に載置可能な合成樹脂製容器において、前記小口の断面形状を多角形状としたことを特徴とするものである。
【０００６】
本発明に係る多角形状には、三角形状、四角形状、五角形状等が挙げられるが、かかる多角形状は正多角形状であることが好ましい。また、多角形状は、その角数が増えるに従って真円形状に近づくため、最も角数の少ない三角形状が好ましい。但し、三角形状としても、正三角形に限らず、二等辺三角形であってもよい。
【発明の効果】
【０００７】
本発明によれば、球体を載置する胴部内面によって形作られる小口の断面形状を、辺と角とで構成された多角形状としたことから、小口の断面形状は、その幾何学的な形状によって高い剛性を有している。このため、内容物が炭酸ガスを含んでいる等に起因して、容器の内圧が上昇する等しても、小口の断面形状は変形し難い。
【０００８】
このため、小口が変形して広がって、小口の断面形状が真円形状に近づき難く、球体が小口に合さって流路を塞いだり、球体が落下してしまうことない。即ち、本発明によれば、容器の内圧が上昇する等しても、球体が小口を塞いだり、落下することのない、球体を備えた新規な合成樹脂製容器を提供することができる。
【０００９】
また、本発明に係る多角形状を正多角形状とすれば、小口の中心付近に球体を位置させることで、均等な流路を確保することができる。
【００１０】
加えて、本発明に係る小口の断面形状を三角形状とすれば、小口の断面形状が真円形状に近づく変形が起こり難くなるため、小口の変形を更に効果的に抑制することができる。
【発明を実施するための最良の形態】
【００１１】
以下、図面を参照して、本発明の一形態を詳細に説明する。
【００１２】
図１及び図２はそれぞれ、本発明の一形態である球体を備えたＰＥＴボトル（以下、「ラムネボトル」という）１を示す正面図及び側面図である。なお、図２は、図１を一部省略した状態で示す。また、図３は、図１のＸ−Ｘ断面図である。
【００１３】
ラムネボトル１の基本的な外観形状は、二軸延伸ブロー成形を用いて形作られている。口部２は、炭酸水等の内容物の充填及び注出の可能な開口部Ａを有し、図示せぬスクリューキャップが着脱可能に螺着されるねじ部２ｓを有する。
【００１４】
口部２は、ネック３から肩部４を経て内容物が充填される胴部に繋がる。ネック３にはネックリング３ｒが設けられている。
【００１５】
ラムネボトル１の胴部には、その一部を縮小して縮小部５が形成されている。このため、ラムネボトル１の胴部は、縮小部５を介して、上側胴部６と下側胴部７とに区画されている。即ち、ラムネボトル１は、図３に示すように、内容物の充填空間を形作る胴部内面Ｆを一部縮小して、その内側に小口Ｒを形成し、この小口Ｒ周りの胴部内面Ｆによって、球体Ｂを落下不能に載置することができる。
【００１６】
縮小部５は、３つの縮小辺５ａと３つの湾曲する隅部５ｃとで構成されたほぼ正三角形である。即ち、縮小部５の内側に形作られる小口Ｒの断面形状も、図３に示すように、３つの縮小辺側内面Ｆaを隅部側内面Ｆcを介して繋いだほぼ正三角形である。
【００１７】
これにより、口部２から投入した球体Ｂは、図３の破線に示すように、小口Ｒ周りの胴部内壁Ｆによって、小口Ｒを通って下側胴部７に落下することなく載置することができる。また、球体Ｂを載置したとき、球体Ｂと小口Ｒとの間には、均等な３つの流路Ｃが形成される。
【００１８】
ビー球に代表される球体Ｂ（図面では破線にて示す）は、既存のラムネ瓶と同様、開封前の状態では、口部２に装着されたキャップの内側に保持されている。そして、開封時も、既存のラムネ瓶と同様、球体Ｂをラムネボトル１の内側に押し込むことで、当該ボトル1内に落下させる。なお、符号６ｎは、胴部内側（ボトル軸線Ｏ）に向かって突出する複数の凹部である。
【００１９】
こうしたラムネボトル１によれば、球体Ｂを載置する胴部内面Ｆによって形作られる小口Ｒの断面形状を、図３に示す如く、辺と角とで構成された多角形状としたことから、小口Ｒの断面形状は、その幾何学的な形状によって高い剛性を有している。このため、内容物が炭酸ガスを含んでいる等に起因して、ラムネボトル１の内圧が上昇する等しても、小口Ｒの断面形状は変形し難い。
【００２０】
このため、小口Ｒが変形して広がって、小口Ｒの断面形状が真円形状に近づき難く、球体Ｂが小口Ｒに合さって流路Ｃを塞いだり、球体Ｂが落下してしまうことない。即ち、本発明によれば、ラムネボトルの内圧が上昇する等しても、球体Ｂが小口Ｒを塞いだり、落下することのない、新規なラムネボトル１を提供することができる。
【００２１】
また、本形態の如く、小口Ｒの断面形状を正多角形状とすれば、小口Ｒの中心（ボトル軸線Ｏ）付近に球体を位置させることで、均等な流路Ｃを確保することができる。
【００２２】
加えて、本形態の如く、小口Ｒの断面形状を三角形状とすれば、小口Ｒの断面形状が真円に近づく変形が起こり難くなるため、小口Ｒの変形を更に効果的に抑制することができる。
【００２３】
上述したところは、本発明の好適な形態をしたものであるが、特許請求の範囲において、種々の変更を加えることができる。例えば、本形態では、その内容物を炭酸飲料水で説明したが、内容物についてはこれに限定されるものではない。例えば、上記形態に係る多角形状は、隅部Ｃを湾曲した構成であるが、かかる構成は、鋭角な構成を否定するものではない。また、小口Ｒの断面形状も、三角形状に限定されることなく、四角形状、五角形状等が挙げられるが、角数が多くなることにより断面形状が真円に近づくことを考慮して、必要な角数を適切に選択することができる。
【図面の簡単な説明】
【００２４】
【図１】本発明の一形態である球体を備えたＰＥＴボトルを示す正面図である。
【図２】同形態を一部省略した状態で示す側面図である。
【図３】図１のＸ−Ｘ断面図である。
【符号の説明】
【００２５】
１  ＰＥＴボトル（ラムネボトル）
２  口部
３  ネック
４  肩部
５  縮小部
５ａ  縮小辺
５ｃ  隅部
６  上側胴部
６ｎ  凹部
７  下側胴部
Ａ  開口部（口部）
Ｂ  球体
Ｃ  流路
Ｆ  胴部内面
Ｆa 縮小辺側内面
Ｆc 隅部側内面
Ｏ  ボトル軸線（小口の中心）
Ｒ  小口
【図１】
0005032385.tif 000002
【図２】
0005032385.tif 000003
【図３】
0005032385.tif 000004